(57)【要約】【課題】  昇降台を確実に昇降させることができる昇降式入浴装置を提供する。【解決手段】  一般浴部２と一般浴部２よりも深い車椅子浴部４とが連通部６を介して隣接配置され、車椅子を搭載可能な昇降台２０が車椅子浴部６に設けられた昇降式入浴装置１であって、昇降台２０の縁部に設けられた支持部材３０と、上部に張出部を有する保護板４０とを備え、支持部材３０は、保護板４０の起立状態を維持しつつ保護板４０に沿って上下動する保持部と、前記張出部の下部と係合して保護板４０を吊り下げ支持する係合部とを備える。【選択図】  図３
2013132313.tif 000002
【特許請求の範囲】
【請求項１】
一般浴部と前記一般浴部よりも深い車椅子浴部とが連通部を介して隣接配置され、車椅子を搭載可能な昇降台が前記車椅子浴部に設けられており、
前記昇降台は、前記一般浴部の底面よりも上方の上昇位置と前記一般浴部の底面よりも下方の下降位置との間で駆動手段により昇降自在とされた昇降式入浴装置であって、
前記昇降台の縁部に設けられた支持部材と、上部に張出部を有する保護板とを備え、
前記支持部材は、前記保護板の起立状態を維持しつつ前記保護板に沿って上下動する保持部と、前記張出部の下部と係合して前記保護板を吊り下げ支持する係合部とを備える昇降式入浴装置。
【請求項２】
前記張出部は、前記保護板の両側縁部から側方に張り出すように形成されており、
前記保持部は、前記保護板の両側縁部の表裏面を保持するように構成され、
前記係合部は、前記保持部の下部に設けられた請求項１に記載の昇降式入浴装置。
【請求項３】
前記保護板の下部に設けられた第２支持部材と、上部に第２張出部を有する第２保護板とを更に備え、
前記第２支持部材は、前記第２保護板の起立状態を維持しつつ前記第２保護板に沿って上下動する第２保持部と、前記第２張出部の下部と係合して前記第２保護板を吊り下げ支持する第２係合部とを備える請求項１または２に記載の昇降式入浴装置。  
【発明の詳細な説明】
【技術分野】
【０００１】
本発明は、昇降式入浴装置に関し、より詳しくは、車椅子を搭載して昇降可能な昇降台を備えた昇降式入浴装置に関する。
【背景技術】
【０００２】
従来の昇降式入浴装置として、例えば、特許文献１に開示された構成が知られている。この昇降式入浴装置は、一般浴部と、この一般浴部に隣接する車椅子浴部とを備えており、車椅子浴部には車椅子を搭載して上下動する昇降台が設けられている。車椅子浴部は、一般浴部よりも深く形成されており、昇降台を上昇位置まで上昇させて車椅子を搭載した後、下降位置まで下降させることにより、車椅子の座板が一般浴部の底面と略同じ高さとなり、入浴者が一般浴部と車椅子浴部との間で移動可能となるように構成されている。
【先行技術文献】
【特許文献】
【０００３】
【特許文献１】特許第２６２７８５９号公報
【発明の概要】
【発明が解決しようとする課題】
【０００４】
上記従来の昇降式入浴装置は、一般浴部と車椅子浴部とが連通しているため、昇降台が上昇位置から下降する際に、一般浴部から車椅子浴部にはみ出した入浴者の脚などの障害物を挟むおそれがあり、昇降台のスムーズな動作の妨げになるという問題があった。
【０００５】
そこで、本発明は、昇降台を確実に昇降させることができる昇降式入浴装置の提供を目的とする。
【課題を解決するための手段】
【０００６】
本発明の前記目的は、一般浴部と前記一般浴部よりも深い車椅子浴部とが連通部を介して隣接配置され、車椅子を搭載可能な昇降台が前記車椅子浴部に設けられており、前記昇降台は、前記一般浴部の底面よりも上方の上昇位置と前記一般浴部の底面よりも下方の下降位置との間で駆動手段により昇降自在とされた昇降式入浴装置であって、前記昇降台の縁部に設けられた支持部材と、上部に張出部を有する保護板とを備え、前記支持部材は、前記保護板の起立状態を維持しつつ前記保護板に沿って上下動する保持部と、前記張出部の下部と係合して前記保護板を吊り下げ支持する係合部とを備える昇降式入浴装置により達成される。
【０００７】
この昇降式入浴装置において、前記張出部は、前記保護板の両側縁部から側方に張り出すように形成することができる。また、前記保持部は、前記保護板の両側縁部の表裏面を保持するように構成することができ、前記係合部は、前記保持部の下部に設けることができる。
【０００８】
上記の昇降式入浴装置においては、前記保護板の下部に設けられた第２支持部材と、上部に第２張出部を有する第２保護板とを更に備えることも可能である。この構成において、前記第２支持部材は、前記第２保護板の起立状態を維持しつつ前記第２保護板に沿って上下動する第２保持部と、前記第２張出部の下部と係合して前記第２保護板を吊り下げ支持する第２係合部とを備えることができる。
【発明の効果】
【０００９】
本発明によれば、昇降台を確実に昇降させることができる昇降式入浴装置を提供することができる。
【図面の簡単な説明】
【００１０】
【図１】本発明の一実施形態に係る昇降式入浴装置の平面図である。
【図２】図１のＡ−Ａ断面図である。
【図３】図１のＢ−Ｂ断面図である。
【図４】前記昇降式入浴装置の要部拡大図である。
【図５】図４のＣ−Ｃ断面図である。
【図６】前記昇降式入浴装置の作動を説明するための断面図である。
【図７】前記昇降式入浴装置の作動を説明するための要部拡大図である。
【図８】本発明の他の実施形態に係る昇降式入浴装置の要部拡大図である。
【図９】図８に示す昇降式入浴装置の作動を説明するための断面図である。
【発明を実施するための形態】
【００１１】
以下、本発明の実施の形態について、添付図面を参照して説明する。図１は、本発明の一実施形態に係る昇降式入浴装置の平面図であり、図２および図３は、それぞれ図１のＡ−Ａ断面図およびＢ−Ｂ断面図である。図１から図３に示すように、昇降式入浴装置１は、一般浴部２および車椅子浴部４が隣接配置されて構成されており、一般浴部２と車椅子浴部４とが連通部６を介して連通している。車椅子浴部４は、一般浴部２よりも深くなるように、底面４ａが一般浴部２の底面２ａよりも下方に形成されている。
【００１２】
車椅子浴部４には、駆動装置１０により昇降自在とされた昇降台２０が設けられており、入浴者を乗せた車椅子を昇降台２０に搭載することができる。駆動装置１０は、車椅子浴部４の底面４ａに埋設された鞘管１１に収容される水圧シリンダ１２と、水圧シリンダ１２への作動水の供給および排水を行う手動切換弁（図示せず）を操作する操作レバー１４とを備えており、水圧シリンダ１２のロッド１２１の上端に昇降台２０が固定されている。昇降台２０は、車椅子浴部４の開口と略同じ大きさを有し、上面の両側には保護フレーム２９，２９が設けられており、昇降時に受ける水の抵抗を緩和するため多数の透水孔（図示せず）を有している。
【００１３】
また、昇降台２０は、一般浴部２の底面２ａよりも上方の上昇位置と、一般浴部２の底面２ａよりも下方の下降位置との間で昇降自在とされており、図２および図３は、昇降台２０が上昇位置にある状態を示している。この上昇位置において、昇降台２０の上面は、車椅子浴部４の開口縁部と略面一になる。昇降台２０において連通部６と対向する縁部の両側には、２つの支持部材３０，３０がそれぞれ設けられており、これら支持部材３０，３０に保護板４０が支持されている。保護板４０は、枠体４１の内部にアクリル等からなる板本体４２が固定された平板状の部材であり、対向する連通部６の断面と略同じ大きさに形成されている。
【００１４】
図４は、支持部材３０，３０の近傍を示す要部拡大図であり、図５は、図４のＣ−Ｃ断面図である。図４および図５に示すように、各支持部材３０は、矩形状の本体３１の一端側を鉤状に折り曲げて形成された保持部３２と、保持部３２の下部に挟持されるように固定された立片からなる係合部３３とを備えている。本体３１の裏面側にはボルト３４が固定されており、このボルト３４を昇降台２０の側壁２１に形成された取付孔２２に挿通して、ナット３５で固定することができる。
【００１５】
保護板４０は、上縁部から側方に張り出す張出部４３が形成されており、張出部４３の下縁が係合部３３に係合して吊り下げ支持されるように構成されている。保護板４０の縁部の表裏面は、保持部３２によって保持される。
【００１６】
次に、上記構成を備える昇降式入浴装置１の作動を説明する。まず、入浴者を乗せた車椅子を、図１に示す浴室８からスロープ９を上昇させて、上昇位置にある昇降台２０の上面に搭載する。そして、操作レバー１４の操作により昇降台２０を下降させて、入浴者を車椅子浴部４の湯に浸漬させる。保護板４０は、昇降台２０の上昇位置において、図２および図３に示すように、支持部材３０，３０に吊り下げ支持されており、図６（ａ）に示すように、保護板４０の下端が車椅子浴部４の床面４ａに当接するまで吊り下げ状態が維持される。したがって、一般浴部２の入浴者の脚などの障害物が、昇降台２０の下方で車椅子浴部４にはみ出すおそれがなく、昇降台２０の下降動作を確実に行うことができる。なお、保護板４０には、一般浴部２と車椅子浴部４との間で湯が循環可能となるように、障害物が通過しない程度の大きさの通水孔を形成してもよい。
【００１７】
保護板４０の下端が床面４ａに当接した後、昇降台２０を更に下降させると、図７に示すように、張出部４３と係合部３３との係合が解除される一方、保護板４０の縁部は、表裏面が保持部３２に保持された状態が維持される。こうして、図６（ｂ）に示すように、昇降台２０が下降位置まで下降する間、保護板４０の起立状態を維持しつつ、支持部材３０が保護板４０に沿って下降する。これにより、昇降台２０の十分なストロークを確保することができるので、車椅子浴部４と一般浴部２との間における入浴者のスムーズな移動を促すことができる。昇降台２０を下降位置から上昇させると、保護板４０は、張出部４３が支持部材３０の係合部３３と再び係合して吊り下げ支持される。
【００１８】
以上、本発明の一実施形態について詳述したが、本発明の具体的な態様は上記実施形態に限定されるものではない。例えば、本実施形態においては、２つの支持部材３０，３０が、保護板４０の両側縁部をそれぞれ支持するように構成しているが、支持部材は、保護板４０の中央等を支持する単一のものであってもよく、或いは、３つ以上を適宜の間隔で配置した構成であってもよい。
【００１９】
また、保護板４０の張出部４３は、本実施形態のように側縁から側方に張り出した形状にすることで、支持部材３０，３０の構成を簡素化することができるが、保護板４０の表面に対して垂直に張り出すように形成することも可能である。
【００２０】
また、本実施形態の昇降式入浴装置１は、図８に示すように、保護板４０の下部に設けられた第２支持部材１３０，１３０と、上部に第２張出部１４３，１４３を有する第２保護板１４０とを更に備えることが可能である。各第２支持部材１３０は、第２保護板１４０の起立状態を維持しつつ第２保護板１４０に沿って上下動する第２保持部１３２と、第２張出部１４３の下部と係合して第２保護板１４０を吊り下げ支持する第２係合部１３３とを備える。このように構成された昇降式入浴装置１’は、図９（ａ）に示すように、昇降台２０の上昇位置において、支持部材３０に吊り下げ支持された保護板４０に加えて、第２支持部材１３０に吊り下げ支持された第２保護板１４０により、連通部６を覆うことができ、昇降台２０の下方への障害物の侵入を防止することができる。そして、昇降台２０の下降位置においては、図９（ｂ）に示すように、保護板４０および第２保護板１４０の下端が床面４ａに当接して、両者が整列した状態になる。
【００２１】
上記の昇降式入浴装置１’によれば、昇降台２０が下降位置にあるときの保護板４０および第２保護板１４０の床面４ａからの高さを低くすることができるので、一般浴部２と車椅子浴部４との段差が小さい場合でも、保護板４０および第２保護板１４０の上端が連通部６にはみ出すのを抑制することができる。したがって、一般浴部２と車椅子浴部４との間で移動する入浴者が躓くおそれがなく、よりスムーズな移動を促すことができる。なお、保護板の数は、上記と同様の構成により、更に増加させることも可能である。
【符号の説明】
【００２２】
１  昇降式入浴装置
２  一般浴部
２ａ  底面
４  車椅子浴部
４ａ  底面
６  連通部
１０  駆動装置
１２  水圧シリンダ
１２１  ロッド
１４  操作レバー
２０  昇降台
３０  支持部材
３２  保持部
３３  係合部
４０  保護板
４３  張出部
１３０  第２支持部材
１３２  第２保持部
１３３  第２係合部
１４０  第２保護板
１４３  第２張出部
【図１】
2013132313.tif 000003
【図２】
2013132313.tif 000004
【図３】
2013132313.tif 000005
【図４】
2013132313.tif 000006
【図５】
2013132313.tif 000007
【図６】
2013132313.tif 000008
【図７】
2013132313.tif 000009
【図８】
2013132313.tif 000010
【図９】
2013132313.tif 000011
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
一般浴部と前記一般浴部よりも深い車椅子浴部とが連通部を介して隣接配置され、車椅子を搭載可能な昇降台が前記車椅子浴部に設けられており、
前記昇降台は、前記一般浴部の底面よりも上方の上昇位置と前記一般浴部の底面よりも下方の下降位置との間で駆動手段により昇降自在とされた昇降式入浴装置であって、
前記昇降台の前記連通部と対向する縁部に設けられた支持部材と、両側上縁部から側方に張り出す張出部を有する保護板とを備え、
前記支持部材は、前記保護板の両側縁部の表裏面を保持する保持部と、前記張出部の下部と係合可能な係合部とを備え、
前記昇降台の前記上昇位置において、前記張出部と前記係合部との係合により前記保護板が前記支持部材に吊り下げ支持された状態から、前記昇降台を下降させることにより、前記保護板の下端が前記車椅子浴部の底面に当接し、前記昇降台を前記下降位置まで更に下降させることにより、前記係合部と前記張出部との係合が解除されて、前記保持部が、前記保護板の両側縁部の表裏面を保持して前記保護板の起立状態を維持しながら前記保護板に沿って下降するように構成された昇降式入浴装置。
【請求項２】
前記保護板の下部に前記連通部と対向するように設けられた第２支持部材と、両側上縁部から側方に張り出す第２張出部を有する第２保護板とを更に備え、
前記第２支持部材は、前記第２保護板の両側縁部の表裏面を保持する第２保持部と、前記第２張出部の下部と係合可能な第２係合部とを備え、
前記昇降台の前記上昇位置において、前記第２張出部と前記２係合部との係合により前記第２保護板が前記第２支持部材に吊り下げ支持された状態から、前記昇降台を下降させることにより、前記第２保護板の下端が前記車椅子浴部の底面に当接し、前記昇降台を前記下降位置まで更に下降させることにより、前記第２係合部と前記第２張出部との係合が解除されて、前記第２保持部が、前記第２保護板の両側縁部の表裏面を保持して前記第２保護板の起立状態を維持しながら前記第２保護板に沿って下降するように構成された請求項１に記載の昇降式入浴装置。  
【手続補正２】
【補正対象書類名】明細書
【補正対象項目名】０００６
【補正方法】変更
【補正の内容】
【０００６】
本発明の前記目的は、一般浴部と前記一般浴部よりも深い車椅子浴部とが連通部を介して隣接配置され、車椅子を搭載可能な昇降台が前記車椅子浴部に設けられており、前記昇降台は、前記一般浴部の底面よりも上方の上昇位置と前記一般浴部の底面よりも下方の下降位置との間で駆動手段により昇降自在とされた昇降式入浴装置であって、前記昇降台の前記連通部と対向する縁部に設けられた支持部材と、両側上縁部から側方に張り出す張出部を有する保護板とを備え、前記支持部材は、前記保護板の両側縁部の表裏面を保持する保持部と、前記張出部の下部と係合可能な係合部とを備え、前記昇降台の前記上昇位置において、前記張出部と前記係合部との係合により前記保護板が前記支持部材に吊り下げ支持された状態から、前記昇降台を下降させることにより、前記保護板の下端が前記車椅子浴部の底面に当接し、前記昇降台を前記下降位置まで更に下降させることにより、前記係合部と前記張出部との係合が解除されて、前記保持部が、前記保護板の両側縁部の表裏面を保持して前記保護板の起立状態を維持しながら前記保護板に沿って下降するように構成された昇降式入浴装置により達成される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
上記の昇降式入浴装置においては、前記保護板の下部に前記連通部と対向するように設けられた第２支持部材と、両側上縁部から側方に張り出す第２張出部を有する第２保護板とを更に備えることも可能である。この構成において、前記第２支持部材は、前記第２保護板の両側縁部の表裏面を保持する第２保持部と、前記第２張出部の下部と係合可能な第２係合部とを備えることができる。そして、前記昇降台の前記上昇位置において、前記第２張出部と前記２係合部との係合により前記第２保護板が前記第２支持部材に吊り下げ支持された状態から、前記昇降台を下降させることにより、前記第２保護板の下端が前記車椅子浴部の底面に当接し、前記昇降台を前記下降位置まで更に下降させることにより、前記第２係合部と前記第２張出部との係合が解除されて、前記第２保持部が、前記第２保護板の両側縁部の表裏面を保持して前記第２保護板の起立状態を維持しながら前記第２保護板に沿って下降するように構成することができる。